(57)【要約】【課題】  棚を手前にスライドさせて奥の方のものを取り出し易くした食器棚を提供する。奥の方のものを取り出し易くしながらも収容部内の収容効率を損なわないようにした食器棚を提供する。【解決手段】  食器棚Ｓ１の内部には収容部１がある。収容部１の前面側には二枚の引き戸２が設けてある。収容部１は引き戸２によって区画可能である。収容部１は中央部分に内壁板１１を設けて、右収容部１０と左収容部１０ａに区画されている。右収容部１０と左収容部１０ａには棚板１２が設けてある。右収容部１０の内底側には、引き戸２を開けたときに水平な状態で手前側に突出するよう移動可能な可動棚１３が設けられている。【選択図】        図１
2005152578.tif 000002
【特許請求の範囲】
【請求項１】
家具の収容部内に取り付けるよう構成された棚であって、該棚は収容部内に取り付けた状態から手前方向に移動可能に構成されていることを特徴とする、
家具用棚。
【請求項２】
家具の収容部内の所要位置に着脱自在に取り付け可能な固定棚と、
該固定棚に設けてあり、手前方向に移動可能な可動棚と、
を備えたことを特徴とする、
家具用棚。
【請求項３】
固定棚は、収容部内の内壁部に突設してある棚板係合部に係合する取付部を備えており、取付部は、固定棚を棚板係合部に係合させた状態で可動棚を手前方向に移動させても、固定棚が可動棚の重みではね上がらないまたは浮き上がらないよう構成してあることを特徴とする、
請求項２記載の家具用棚。
【請求項４】
家具の収容部内の所要位置に着脱自在に取り付け可能な固定棚と、
該固定棚に設けてあり、手前方向に移動可能な可動棚と、
を備えており、
固定棚の側面の手前側と奥側には、収容部内の内壁部に突設してある棚板係合部に係合する取付部がそれぞれ形成してあり、手前側の取付部は、可動棚を手前方向に移動させても固定棚が棚板係合部と係合した状態から引き出されないよう構成し、また奥側の取付部は、可動棚を手前方向に移動させても固定棚が可動棚の重みではね上がらないまたは浮き上がらないよう構成してあることを特徴とする、
家具用棚。
【請求項５】
移動する棚には、載せた収容物を保持するための保持具が設けてあることを特徴とする、
請求項１，２，３または４記載の家具用棚。
【請求項６】
請求項１，２，３，４または５記載の家具用棚を備えたことを特徴とする、
家具。
【請求項７】
引き戸または開き戸により区画される収容部内に、該引き戸または開き戸を開けた状態のときに手前方向に移動可能な可動棚が設けてあることを特徴とする、
家具。
【発明の詳細な説明】
【技術分野】
【０００１】
本発明は家具用棚及び家具に関する。更に詳しくは、棚を手前方向に移動させて奥の方のものが取り出し易くしたものに関する。また、奥の方のものを取り出し易くしながらも収容部内の収容効率を損なわないようにしたものに関する。
【背景技術】
【０００２】
例えば、食器棚は収容部内に複数の棚板を備えて構成してあり、その前面側には、収容部内に埃やチリ等が入り難いよう区画する開き戸や引き戸が設けられている。食器棚の各棚板は、食器を載せる前の状態であれば、食器等の大きさ（高さ）に合うよう位置が変更できる。しかし、食器を載せた後では実質的に固定された状態となるので動かせなかった。そのため棚板の奥の方に収容したものは、手前側のものを一旦取り出したりしなければ取り出し難かった。
【０００３】
この課題の解決を目的とするものとして、従来、例えば特許文献１に開示されたものが知られている。この食器棚は、収容部の横幅の約半分の大きさを有する二つの棚体を備えており、それぞれの棚体を収容部内の前側と後側に、互いに横方向に移動できるように設けた構成を有している。
【０００４】
この食器棚によれば、棚体を横方向に移動させて棚体が置かれていた手前側に空間をつくることができるので、棚体を動かせば手前側のものを取り出すことなく、奥のものを取り出すことができる。
【特許文献１】特開平１１−７５９６５号公報
【発明の開示】
【発明が解決しようとする課題】
【０００５】
しかし、特許文献１に開示された食器棚には、次のような課題があった。
即ち、棚体を横方向に移動して、棚板が置かれていた手前側に空間をつくった場合でも、奥の方のものは依然として収容部内に手を入れて取り出さなければならなかったので、奥の方のものの取り出し難さは変わらなかった。
【０００６】
また、棚体を収容部内で移動させなければならなかったので、収容部内には棚体を移動可能にするだけの空間を確保しておかなければならなかった。そのため収容部は、空間容積の割りに収容効率が悪かった。
【０００７】
本発明の目的は、食器棚等の収容部を有する家具において、棚の奥の方のものが取り出し易くすることにある。
また、本発明の他の目的は、棚の奥の方のものを取り出し易くしながらも収容部内の収容効率を損なわないようにすることにある。
更に、本発明の他の目的は、奥の方のものを取り出し易くする棚の取り付け位置が任意に変更できるようにすることにある。
更にまた、本発明の他の目的は、奥の方のものを取り出し易くする棚を手前方向に移動させたときでも、収容部内に残された棚の構成部が、移動させた棚の重みによってはね上がらないまたは浮き上がらないようにすることにある。
【課題を解決するための手段】
【０００８】
上記目的を達成するために講じた本発明の手段は次のとおりである。
第１の発明にあっては、
家具の収容部内に取り付けるよう構成された棚であって、該棚は収容部内に取り付けた状態から手前方向に移動可能に構成されていることを特徴とする、
家具用棚である。
【０００９】
第２の発明にあっては、
家具の収容部内の所要位置に着脱自在に取り付け可能な固定棚と、
該固定棚に設けてあり、手前方向に移動可能な可動棚と、
を備えたことを特徴とする、
家具用棚である。
【００１０】
第３の発明にあっては、
固定棚は、収容部内の内壁部に突設してある棚板係合部に係合する取付部を備えており、取付部は、固定棚を棚板係合部に係合させた状態で可動棚を手前方向に移動させても、固定棚が可動棚の重みではね上がらないまたは浮き上がらないよう構成してあることを特徴とする、
第２の発明に係る家具用棚である。
【００１１】
第４の発明にあっては、
家具の収容部内の所要位置に着脱自在に取り付け可能な固定棚と、
該固定棚に設けてあり、手前方向に移動可能な可動棚と、
を備えており、
固定棚の側面の手前側と奥側には、収容部内の内壁部に突設してある棚板係合部に係合する取付部がそれぞれ形成してあり、手前側の取付部は、可動棚を手前方向に移動させても固定棚が棚板係合部と係合した状態から引き出されないよう構成し、また奥側の取付部は、可動棚を手前方向に移動させても固定棚が可動棚の重みではね上がらないまたは浮き上がらないよう構成してあることを特徴とする、
家具用棚である。
【００１２】
第５の発明にあっては、
移動する棚には、載せた収容物を保持するための保持具が設けてあることを特徴とする、
第１，第２，第３または第４の発明に係る家具用棚である。
【００１３】
第６の発明にあっては、
第１，第２，第３，第４または第５の発明に係る家具用棚を備えたことを特徴とする、
家具である。
【００１４】
第７の発明にあっては、
引き戸または開き戸により区画される収容部内に、該引き戸または開き戸を開けた状態のときに手前方向に移動可能な可動棚が設けてあることを特徴とする、
家具である。
【００１５】
本発明に係る家具、また本発明に係る家具用棚が取り付け可能な家具としては、収容部を有する、例えば、食器棚、テレビボード、リビングボード、サイドボード、書棚等を挙げることができるが、これに限定するものではない。
（作  用）
【００１６】
本発明に係る移動可能な棚は、家具の収容部内に取り付けた状態から手前方向に移動させて使用される。
また、本発明に係る棚は、収容部内で取り付け位置を変えることができる。
【００１７】
固定棚と可動棚を備えたものは、固定棚を家具の収容部内の所要位置に取り付けて使用される。可動棚は収容部内に取り付けられた状態で、収容部から手前方向に移動可能である。
【００１８】
固定棚に取付部が備えてあるものは、固定棚を棚板係合部に係合させた状態で可動棚を手前方向に移動させても、固定棚が可動棚の重みではね上がらないまたは浮き上がらない。
【００１９】
固定棚の側面の手前側と奥側に取付部が形成してあるものは、可動棚を手前方向に移動させても固定棚が棚板係合部と係合した状態から引き出されず、また、可動棚を手前方向に移動させても固定棚が可動棚の重みではね上がらないまたは浮き上がらない。
【００２０】
移動する棚に保持具が設けてあるものは、収容物を保持具に保持させた状態で収容物が収容できる。
【００２１】
家具に設けてある可動棚は、引き戸または開き戸を開けて収容部を開放状態にして手前方向に移動可能である。
【発明の効果】
【００２２】
本発明は上記構成を備え、次の効果を有する。
（ａ）本発明によれば、手前方向に移動可能な棚を備えているので、引き出すことで収容部の奥の方に収容された収容物でも取り出し易い。また、収容物は手前側からだけでなく側方からも出し入れし易い。
【００２３】
（ｂ）棚は手前方向に移動可能な構成を有しているので、収容部内の収容効率も低下しない。
【００２４】
（ｃ）棚が収容部内で取り付け位置を変えることができる場合では、例えば、食器等の大きさ（高さ）に合わせて取り付け位置が調整できる。
【００２５】
（ｄ）固定棚に取付部が備えてあるものは、固定棚を棚板係合部に係合させた状態で可動棚を手前方向に移動させても、固定棚が可動棚の重みではね上がらないまたは浮き上がらないので、安全である。
【００２６】
（ｅ）固定棚の側面の手前側と奥側に取付部が形成してあるものは、可動棚を手前方向に移動させても固定棚が棚板係合部と係合した状態から引き出されず、また、可動棚を手前方向に移動させても固定棚が可動棚の重みではね上がらないまたは浮き上がらないので、安全である。
【００２７】
（ｆ）保持具が設けてあるものは、収容物を保持具に保持させた状態で収容することもできる。この場合では、誤って収容物に不意に当たっても収容物の落下が防止できる。
【発明を実施するための最良の形態】
【００２８】
本発明の実施の形態を図面に基づき更に詳細に説明する。
図１は本発明に係る家具である食器棚の第１の実施の形態を示す斜視説明図である。
符号Ｓ１は家具である食器棚を示している。食器棚Ｓ１は所要の高さを有しており、上部側の内部には食器等を収容する収容部１が設けられている。収容部１の前面側には、横方向に移動可能な二枚の引き戸２，２が設けられている。各引き戸２には、所要位置にガラス２０が設けてある。収容部１は、引き戸２，２によって埃やチリ等が入り難いよう区画可能である。
【００２９】
収容部１内の中央部分には、内壁板１１が縦方向に固定して設けられており、収容部１が右収容部１０と左収容部１０ａに区画されている。右収容部１０と左収容部１０ａには、それぞれ棚板１２・・・が複数設けられている（左収容部の棚板は図では表れていない）。各棚板１２は、食器等の大きさ（高さ）に合うよう位置が変更可能である。各棚板１２は、側端面に形成してある下面から切り欠いた嵌合凹部を、右収容部１０や左収容部１０ａの内壁面から突設した棚板係合部である棚板係合突起７に嵌めて着脱可能に取り付けてある。
【００３０】
右収容部１０の内底側には、引き戸２を開けたときに手前方向に突出するよう移動可能な可動棚１３が設けられている。
【００３１】
可動棚１３は、所要の厚みを有する可動棚本体１３０を備えている。可動棚本体１３０の上面には、食器等の収容物を保持するための保持具１３１が設けられている。また、可動棚本体１３０の上面の縁部には、収容物の落下防止を図るための落下防止柵１３７が設けられている。
【００３２】
可動棚本体１３０の前面には、この可動棚本体１３０の厚みよりやや幅広の高さを有する前面部材１３２が、上部側を表面よりやや上方に延出させて取り付けてある。
また、右収容部１０を構成する内壁板１１の内面と側壁の内面には、それぞれ所要の厚みを有する取着台１３３（図では一方しか見えない）が取り付けてある。
【００３３】
可動棚本体１３０は、スライドレールを介在させて取着台１３３に取り付けてある。
スライドレールは、内レール１３４、中レール１３５、外レール１３６を備えており、それぞれの間にボールベアリング（図では見えない）を挟んで入子式に組み合わせて構成されたものである。外レール１３６の内側基部には、所要の厚みを有し、弾性を備えたゴム製の固定部材１４０が接着して設けてある。固定部材１４０の中レール１３５側には、縁部から切り込んだ溝部１４１が形成されている。
【００３４】
また、中レール１３５の内側基部には、固定部材１４０の溝部１４１に係合可能な係止部材（図２で示す符号１４２参照）が突出して設けられている。係止部材は、可動棚１３を収容部１に収容したときに固定部材１４０の溝部１４１に挟み込まれる位置に設けられている。固定部材１４０と係合した係止部材は、可動棚本体１３０を所要以上の力をもって引き出さなければ係合状態が解除できず、可動棚本体１３０が収容部１内から引き出されない。
【００３５】
可動棚本体１３０は、内レール１３４を両側面に固定して、外レール１３６を取着台１３３の側面に固定することで取着台１３３に取り付けてある。
【００３６】
（作  用）
図１を参照して、食器棚Ｓ１の使い方と可動棚１３の作用を説明する。
引き戸２を横方向に移動して開け、右収容部１０の前面側を開放状態にする。このとき引き戸２は、他方の引き戸２と重なるように略全開状態にする。
【００３７】
可動棚１３は、前面部材１３２の上部側が可動棚本体１３０の表面よりやや上方に延出させて取り付けてあるので、この上部側に指を引っ掛けて所要以上の力で手前方向に引く。これにより固定部材１４０と係止部材の係合状態が解除され、可動棚本体１３０は突出するよう引き出される。
【００３８】
このように可動棚１３は、右収容部１０から突出するよう引き出すことができるので、奥の方に収容されたものでも取り出し易い。
【００３９】
また、可動棚１３は引き出して突出させているので、手前側からだけでなく引き出した側方からも出し入れし易い。
【００４０】
可動棚１３は、手前方向に突出するよう引き出す構造を有するので、収容部１内の収容効率も低下しない。
【００４１】
可動棚１３に載せる食器等の収容物は、保持具１３１に保持させた状態で収容できる。この場合では、誤って収容物に不意に当たっても収容物の落下が防止できる。また、可動棚１３には、保持具１３１の周りに更に落下防止柵１３７が設けてあるので、仮に保持具１３１に保持されていた収容物の保持が不意に解除された場合でも落下が防止できる。
【００４２】
可動棚１３は、係止部材と固定部材１４０が係合した状態で右収容部１０内に収容されており、所要以上の力で手前方向に引っ張って係合状態を解除しなければ右収容部１０より引き出されないので、例えば、引き戸を開け放した状態のときに地震等が発生しても、簡単には移動しない。
【００４３】
引き出した可動棚１３は、押し込んで係止部材と固定部材１４０を係合させて右収容部１０内に収容される。引き戸２は、可動棚１３が右収容部１０に収容されることで区画するよう閉めることができる。
【００４４】
本実施の形態で示す可動棚は、スライドレールを使用して手前方向に移動できるように構成したが、これは限定するものではなく、種々の公知手段のものが使用可能である。また、スライドレールの構成も上記したものに限定しない。
【００４５】
また、本実施の形態では可動棚の上部に保持具や落下防止柵を設けたものを示したが、これも限定するものではなく、可動棚は保持具や落下防止柵を持たないものを使用することもできる。
【００４６】
本実施の形態で可動棚は、前面部材の上部側に指を引っ掛けて引き出す構成を有するものを示したが、これも限定するものではなく、例えば、引き出すために取っ手を設けたものを使用することもできる。
【００４７】
可動棚を設ける位置は、特に限定するものではなく、収容部１内において所要の高さの位置に設けることができる。
【００４８】
本実施の形態で固定部材１４０と係止部材は、上記構造を有するものを一例として挙げたが、これも特に限定するものではない。例えば、磁石等の性質を使用したようなものを使用しても良く、所要以上の力で手前方向に引っ張らなければ可動棚が収容部より引き出せないようにできれば良い。
【００４９】
図２は本発明に係る家具である食器棚の第２の実施の形態を示す斜視説明図である。
なお、図２において上記図１で示したものと同一または同等箇所には同一の符号を付して示している。また、以下の説明において構造について上記で示した箇所と重複する説明は、必要な事項を除き省略する。
【００５０】
符号Ｓ２は家具である食器棚を示している。食器棚Ｓ２の上部側と下部側の内部には、それぞれ別々に区画された収容部３，４が設けられている。収容部３の前面側には開き戸５，５が設けられており、収容部４の前面側には開き戸６，６が設けられている。収容部３，４は、開き戸５，５，６，６によって区画可能である。
【００５１】
収容部３，４内の中央部分には、それぞれ内壁板３２，４２が縦方向に固定して設けられている。これにより収容部３は右収容部３０と左収容部３１に区画され、収容部４は右収容部４０と左収容部４１に区画されている。
【００５２】
収容部３の右収容部３０と左収容部３１の内底側、収容部４の左収容部４１の内底側には、それぞれ可動棚１３・・が設けられている。
【００５３】
各可動棚１３を構成する可動棚本体１３０の上面には、食器等の収容物の落下防止を図るための落下防止柵１３８が、前側を除く全縁部に設けられている。
また、符号１４２は、固定部材１４０の溝部１４１に係合可能な係止部材である。
【００５４】
（作  用）
図２を参照して食器棚Ｓ２の使い方を説明する。なお、食器棚Ｓ１と同じ作用については説明を省略する。
開き戸５や開き戸６を開けて前面側を開放状態にする。可動棚１３は、前面部材１３２の上部側に指を引っ掛けて所要以上の力で手前方向に引くことで、固定部材１４０と係止部材の係合状態が解除されて突出するよう引き出される。
【００５５】
可動棚１３に載せた食器等の収容物は、例えば、誤って収容物に不意に当たっても落下防止柵１３８に当たり、落下が防止できる。
【００５６】
なお、可動棚１３に載せる収容物は、特に限定するものではなく、例えば、図２において想像線で示すようなダストボックスを載せることもできる。この場合ではダストボックスを食器棚内に収容して隠すことができる。ダストボックスを載せない場合では、この収容部は棚板１２を設けて通常の収容部として使用することもできる。
【００５７】
食器棚Ｓ２では、開き戸５，５を開いて右収容部３０と左収容部３１の両方を開放すれば、対応する両方の可動棚１３，１３を同時に引き出すこともできる。
【００５８】
また、食器棚の収容部内に設ける可動棚１３の数も特に限定するものではなく、複数設けることもできる。
【００５９】
図３は本発明に係る家具用棚の一実施の形態を示す斜視説明図、
図４は図３に示す状態から可動棚を引き出した状態を示す斜視説明図である。
なお、図３及び図４において上記図１または図２で示したものと同一または同等箇所には同一の符号を付して示している。また、以下の説明において構造について上記で示した箇所と重複する説明は、必要な事項を除き省略する。
【００６０】
符号１３ａは家具用棚を示している。家具用棚１３ａは、食器棚等のような家具の収容部内の任意の位置に、上記食器棚Ｓ１，Ｓ２で示す棚板１２と同じように取り付けて使用するものである。
【００６１】
家具用棚１３ａを構成する可動棚１３０ａの下側には、板状の固定棚１５が設けてある。固定棚１５の上面は、可動棚１３０ａと取着台１３３，１３３を合わせた広さと略同じ広さを有している。固定棚１５は、上面の両縁側と取着台１３３，１３３の下面とを接着して、可動棚１３０ａと一体化してある。
【００６２】
固定棚１５の両側面の手前側と奥側の二箇所には、収容部内の棚板係合突起７に嵌合可能な取付部である嵌合凹部１５０，１５１がそれぞれ形成してある。奥側の嵌合凹部１５０は、背面側の側面から切り欠いて、可動棚１３０ａの移動方向と略同じ方向に延びる所要長さの溝形状に形成してある。また、嵌合凹部１５１は、下面から切り欠いて可動棚１３０ａの移動方向と略直交する方向に延びるように形成してある。
【００６３】
（作  用）
図５は家具用棚を家具の収容部内に取り付ける状態を示す説明図、
図６は収容部内に取り付けた状態から可動棚を前方向に引き出した状態を示す説明図である。
図３ないし図６を参照して家具用棚１３ａの取付方法及び作用を説明する。なお、食器棚Ｓ１、Ｓ２で示す可動棚１３と同じ作用については説明を省略する。
【００６４】
家具用棚１３ａは、家具Ｓ３の収容部８内に斜め下方に差し込むように入れ、固定棚１５の奥側に形成された嵌合凹部１５０，１５０を、内壁面から突設してある奥側の棚板係合突起７に嵌め、後方へ移動させて入れる。そして、その状態で手前側を下降させて、嵌合凹部１５１，１５１を手前側の棚板係合突起７に嵌めることにより取り付けられる（図５参照）。
【００６５】
家具用棚１３ａは、嵌合凹部１５０，１５１を棚板係合突起７に嵌めて収容部８に取り付けられるので着脱自在であり、棚板係合突起７が設けてある箇所であれば任意の位置に取り付け可能である。これにより、例えば、食器等の大きさ（高さ）に合わせて取り付け位置が調整できる。
【００６６】
家具用棚１３ａは、棚板係合突起７に着脱可能に設けてあるが、固定棚１５の嵌合凹部１５１が、可動棚１３０ａの移動方向と略直交する方向に延びるよう形成してあり、これがストッパーのように作用するので、可動棚１３０ａを前方向に引き出すときに家具用棚１３ａ全体が引き出されず、安全である。
【００６７】
また、家具用棚１３ａによれば、嵌合凹部１５０が可動棚１３０ａの移動方向と略同じ方向に延びるよう形成してあり、これが奥側の棚板係合突起７と嵌合しているので、可動棚１３０ａを手前方向に引き出した場合でも、可動棚１３０ａの重みによって固定棚１５の奥側が浮き上がらず（はね上がらす）、安全である。
【００６８】
棚板係合突起７は、従来の家具に設けてあるものと同じものを使用している。従って、家具用棚１３ａは、収容部の横幅や棚板係合突起の位置等が対応できれば、既存の家具や上記した食器棚Ｓ１，Ｓ２等でも簡単に取り付けることができる。
【００６９】
なお、奥側の係合凹部は、例えば、図７に示すように、長穴形状を形成する下側の背面側を取り除いた形状にすることもできる。係合凹部１５０ａをこのように形成した場合は、嵌合凹部１５０ａにおける棚板係合突起７の導入部が広くできるので、家具用棚１３ａの取り付け時において、より棚板係合突起７に嵌め込みやすい。
【００７０】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００７１】
【図１】本発明に係る家具である食器棚の第１の実施の形態を示す斜視説明図。
【図２】本発明に係る家具である食器棚の第２の実施の形態を示す斜視説明図。
【図３】本発明に係る家具用棚の一実施の形態を示す斜視説明図。
【図４】図３に示す状態から可動棚を引き出した状態を示す斜視説明図。
【図５】家具用棚を家具の収容部内に取り付ける状態を示す説明図。
【図６】収容部内に取り付けた状態から可動棚を前方向に引き出した状態を示す説明図。
【図７】奥側の嵌合凹部の他の実施例を示す斜視説明図。
【符号の説明】
【００７２】
Ｓ１、Ｓ２、Ｓ３  食器棚
１  収容部
１０  右収容部
１０ａ  左収容部
１１  内壁板
１２  棚板
１３  可動棚
１３ａ  家具用棚
１３０  可動棚本体
１３０ａ  可動棚
１３１  保持具
１３２  前面部材
１３３  取着台
１３４  内レール
１３５  中レール
１３６  外レール
１３７  落下防止柵
１３８  落下防止柵
１４０  固定部材
１４１  溝部
１４２  係止部材
１５  固定棚
１５０，１５１  嵌合凹部
２  引き戸
２０ ガラス
３  収容部
３０  右収容部
３１  左収容部
３２  内壁板
４  収容部
４０  右収容部
４１  左収容部
４２  内壁板
５，６  開き戸
７  棚板係合突起
８  収容部
【図１】
2005152578.tif 000003
【図２】
2005152578.tif 000004
【図３】
2005152578.tif 000005
【図４】
2005152578.tif 000006
【図５】
2005152578.tif 000007
【図６】
2005152578.tif 000008
【図７】
2005152578.tif 000009